(57)【特許請求の範囲】
【請求項１】
電動送風機と、この電動送風機の隣りに配置されるコードリールと、前記電動送風機、および前記コードリ−ルを内置する掃除機本体ケース、この掃除機本体ケース内に形成され、前記電動送風機、および前記コ−ドリールの前側に位置する集塵室と、この集塵室内に取り外し自在に置かれる集塵袋と、この集塵袋の内面に付着する塵埃を振るい落とす除塵手段とを有する電気掃除機において、
前記掃除機本体ケースは、前記集塵室側と、前記電動送風機および前記コードリールが置かれる後部室側とを仕切る中間仕切壁を有し、
前記中間仕切壁は、前記集塵室と前記電動送風機とを連通する内部流通口を有し、
前記集塵室内に置かれ、かつ前記集塵袋に外側から除塵振動を伝える除塵部材と、前記コードリールに駆動され、かつ前記除塵部材を振動させる除塵駆動伝達ユニットとを有し、
前記除塵駆動伝達ユニットは、前記除塵部材に振動動作を起こさせる振動手段と、この振動手段を支持する支持フレームと、前記コードリールの回転を前記振動手段に伝える伝達手段とを有し、
前記掃除機本体ケースは、底面側に前記除塵駆動伝達ユニットを外側から着脱自在に装着する装着開口部を有し、
前記装着開口部は、前記除塵駆動伝達ユニットの前記振動手段と前記支持フレームが収まる窪み部と、前記後部室に臨み前記伝達手段が収まる開口を有し、
前記窪み部は、前記振動手段を前記集塵室側に突出させる除塵用開口と、前記伝達手段を前記後部室側に突出させる伝達開口とを有し、
前記除塵用開口を介して前記集塵室側と前記掃除機本体ケースの外側ないし前記伝達開口側に流通する通気を断つ気密シールを備え、
前記支持フレームは、枠体部と、この枠体部の片側を塞ぐ底板部と、前記枠体部の短辺側に底板部の反対側に向かって立ち、かつ前記振動手段を支持する支持板とを有し、
前記支持板の周端縁と、前記枠体部の長辺側端縁に前記気密シールを設けたことを特徴とする電気掃除機。
【請求項２】
電動送風機と、この電動送風機の隣りに配置されるコードリールと、前記電動送風機、および前記コードリ−ルを内置する掃除機本体ケース、この掃除機本体ケース内に形成され、前記電動送風機、および前記コ−ドリールの前側に位置する集塵室と、この集塵室内に取り外し自在に置かれる集塵袋と、この集塵袋の内面に付着する塵埃を振るい落とす除塵手段とを有する電気掃除機において、
前記掃除機本体ケースは、前記集塵室側と、前記電動送風機および前記コードリールが置かれる後部室側とを仕切る中間仕切壁を有し、
前記中間仕切壁は、前記集塵室と前記電動送風機とを連通する内部流通口を有し、
前記集塵室内に置かれ、かつ前記集塵袋に外側から除塵振動を伝える除塵部材と、前記コードリールに駆動され、かつ前記除塵部材を振動させる除塵駆動伝達ユニットとを有し、
前記除塵駆動伝達ユニットは、前記除塵部材に振動動作を起こさせる除塵回転体と、この除塵回転体を回動自在に支持する支持フレームと、前記除塵回転体の一方の端部側に設けられる回転軸心を同心とする伝達歯車とを有し、
前記掃除機本体ケースは、底面側に前記除塵駆動伝達ユニットを外側から着脱自在に装着する装着開口部を有し、
前記掃除機本体ケースは、前記装着開口部の内部側に前記除塵駆動伝達ユニットが収まる窪み部を有し、
前記支持フレームは、枠体部と、この枠体部の片側を塞ぐ底板部と、前記枠体部の短辺側に前記底板部の反対側に向かって立ち、かつ前記除塵回転体を支持する回転体支持板とを有し、
前記回転体支持板の周端縁と、前記枠体部の長辺側端縁に気密シールを設けたことを特徴とする電気掃除機。
【請求項３】
電動送風機と、この電動送風機の隣りに配置されるコードリールと、前記電動送風機、および前記コードリ−ルを内置する掃除機本体ケース、この掃除機本体ケース内に形成され、前記電動送風機、および前記コ−ドリールの前側に位置する集塵室と、この集塵室内に取り外し自在に置かれる集塵袋と、この集塵袋の内面に付着する塵埃を振るい落とす除塵手段とを有する電気掃除機において、
前記掃除機本体ケースは、前記集塵室側と、前記電動送風機および前記コードリールが置かれる後部室側とを仕切る中間仕切壁を有し、
前記中間仕切壁は、前記集塵室と前記電動送風機とを連通する内部流通口を有し、
前記集塵室内に置かれ、かつ前記集塵袋に外側から除塵振動を伝える除塵部材と、前記コードリールに駆動され、かつ前記除塵部材を振動させる除塵駆動伝達ユニットとを有し、
前記除塵駆動伝達ユニットは、前記除塵部材に振動動作を起こさせる除塵回転体と、この除塵回転体を回動自在に支持する支持フレームと、前記除塵回転体の一方の端部側に設けられる回転軸心を同心とする伝達歯車とを有し、
前記掃除機本体ケースは、底面側に前記除塵駆動伝達ユニットを外側から着脱自在に装着する装着開口部を有し、
前記掃除機本体ケースは、前記装着開ロ部の内部側に前記除塵駆動伝達ユニットが収まる窪み部を有し、
前記窪み部は、前記除塵回転体の外周側を前記集塵室側に突出させる除塵用開口と、前記伝達歯車を前記後部室側に突出させる伝達開口とを有し、
前記除塵用開口を介して前記集塵室側と前記掃除機本体ケースの外側ないし前記伝達開口側に流通する通気を断つ気密シールを備え、
前記支持フレームは、枠体部と、この枠体部の片側を塞ぐ底板部と、前記枠体部の短辺側に前記底板部の反対側に向かって立ち、かつ前記除塵回転体を支持する回転体支持板とを有し、
前記回転体支持板の周端縁と、前記枠体部の長辺側端縁に前記気密シールを設けたことを特徴とする電気掃除機。
【請求項４】
請求項１乃至３の何れかに記載の電気掃除機において、
前記気密シールは、連なった環を形成することを特徴とする電気掃除機。
【請求項５】
請求項１乃至４の何れかに記載の電気掃除機において、
前記支持フレームと前記気密シールは、合成樹脂で一体に成型され、かつ前記気密シールは前記支持フレームよりも軟質の合成樹脂で形成されることを特徴とする電気掃除機。
【請求項６】
請求項１乃至５の何れかに記載の電気掃除機において、
前記除塵回転体の両端に支軸を設け、
二つの前記回転体支持板には、前記支軸を回転自在に支持する軸受を設け、
前記伝達歯車が設けられる一方の前記支軸を支持する前記軸受は貫通するように形成され、他方の前記支軸を支持する前記軸受は一方の前記軸受とは反対側が塞がるように形成され、
前記貫通の軸受と前記支軸との隙間を封じる軸シールを備えることを特徴とする電気掃除機。
【発明の詳細な説明】
【技術分野】
【０００１】
本発明は、電気掃除機に関するものである。
【背景技術】
【０００２】
従来の電気掃除機は、集塵室内に集塵袋を装着し、電動送風機を運転させることにより集塵袋内に塵埃を集塵するようにしている。集塵袋内に塵埃が蓄積してくると集塵袋は徐々に目詰まりを始めて、しだいに吸引力が低下してくる。
【０００３】
このとき、集塵袋の後面や下面に外側から除塵手段による除塵振動を加えて集塵袋の内面に付着する塵埃を振り落として吸引力の回復を図るようにしている（例えば特許文献１）。
【０００４】
【特許文献１】特開２００５−１３２５６号公報
【発明の開示】
【発明が解決しようとする課題】
【０００５】
上記の除塵手段は、除塵部材と除塵部材を駆動する駆動カムと、コードリールの回転を駆動カムに伝達する伝達部材を有する。この複雑な除塵手段を電気掃除機の狭い内部で組立てるので、組み立て難い。
【０００６】
本発明は、上記の問題に対処し、組み立てが容易にできる電気掃除機を提供することを目的とする。
【課題を解決するための手段】
【０００７】
本発明は、電動送風機と、この電動送風機の隣りに配置されるコードリールと、前記電動送風機、および前記コードリ−ルを内置する掃除機本体ケース、この掃除機本体ケース内に形成され、前記電動送風機、および前記コ−ドリールの前側に位置する集塵室と、この集塵室内に取り外し自在に置かれる集塵袋と、この集塵袋の内面に付着する塵埃を振るい落とす除塵手段とを有する電気掃除機において、前記掃除機本体ケースは、前記集塵室側と、前記電動送風機および前記コードリールが置かれる後部室側とを仕切る中間仕切壁を有し、前記中間仕切壁は、前記集塵室と前記電動送風機とを連通する内部流通口を有し、前記集塵室内に置かれ、かつ前記集塵袋に外側から除塵振動を伝える除塵部材と、前記コードリールに駆動され、かつ前記除塵部材を振動させる除塵駆動伝達ユニットとを有し、前記除塵駆動伝達ユニットは、前記除塵部材に振動動作を起こさせる振動手段と、この振動手段を支持する支持フレームと、前記コードリールの回転を前記振動手段に伝える伝達手段とを有し、前記掃除機本体ケースは、底面側に前記除塵駆動伝達ユニットを外側から着脱自在に装着する装着開口部を有し、前記装着開口部は、前記除塵駆動伝達ユニットの前記振動手段と前記支持フレームが収まる窪み部と、前記後部室に臨み前記伝達手段が収まる開口を有し、前記窪み部は、前記振動手段を前記集塵室側に突出させる除塵用開口と、前記伝達手段を前記後部室側に突出させる伝達開口とを有し、前記除塵用開口を介して前記集塵室側と前記掃除機本体ケースの外側ないし前記伝達開口側に流通する通気を断つ気密シールを備え、前記支持フレームは、枠体部と、この枠体部の片側を塞ぐ底板部と、前記枠体部の短辺側に底板部の反対側に向かって立ち、かつ前記振動手段を支持する支持板とを有し、前記支持板の周端縁と、前記枠体部の長辺側端縁に前記気密シールを設けたことを特徴とする。
また、本発明は、電動送風機と、この電動送風機の隣りに配置されるコードリールと、前記電動送風機、および前記コードリ−ルを内置する掃除機本体ケース、この掃除機本体ケース内に形成され、前記電動送風機、および前記コ−ドリールの前側に位置する集塵室と、この集塵室内に取り外し自在に置かれる集塵袋と、この集塵袋の内面に付着する塵埃を振るい落とす除塵手段とを有する電気掃除機において、前記掃除機本体ケースは、前記集塵室側と、前記電動送風機および前記コードリールが置かれる後部室側とを仕切る中間仕切壁を有し、前記中間仕切壁は、前記集塵室と前記電動送風機とを連通する内部流通口を有し、前記集塵室内に置かれ、かつ前記集塵袋に外側から除塵振動を伝える除塵部材と、前記コードリールに駆動され、かつ前記除塵部材を振動させる除塵駆動伝達ユニットとを有し、前記除塵駆動伝達ユニットは、前記除塵部材に振動動作を起こさせる除塵回転体と、この除塵回転体を回動自在に支持する支持フレームと、前記除塵回転体の一方の端部側に設けられる回転軸心を同心とする伝達歯車とを有し、前記掃除機本体ケースは、底面側に前記除塵駆動伝達ユニットを外側から着脱自在に装着する装着開口部を有し、前記掃除機本体ケースは、前記装着開口部の内部側に前記除塵駆動伝達ユニットが収まる窪み部を有し、前記支持フレームは、枠体部と、この枠体部の片側を塞ぐ底板部と、前記枠体部の短辺側に前記底板部の反対側に向かって立ち、かつ前記除塵回転体を支持する回転体支持板とを有し、前記回転体支持板の周端縁と、前記枠体部の長辺側端縁に気密シールを設けたことを特徴とする。
さらに、本発明は、電動送風機と、この電動送風機の隣りに配置されるコードリールと、前記電動送風機、および前記コードリ−ルを内置する掃除機本体ケース、この掃除機本体ケース内に形成され、前記電動送風機、および前記コ−ドリールの前側に位置する集塵室と、この集塵室内に取り外し自在に置かれる集塵袋と、この集塵袋の内面に付着する塵埃を振るい落とす除塵手段とを有する電気掃除機において、前記掃除機本体ケースは、前記集塵室側と、前記電動送風機および前記コードリールが置かれる後部室側とを仕切る中間仕切壁を有し、前記中間仕切壁は、前記集塵室と前記電動送風機とを連通する内部流通口を有し、前記集塵室内に置かれ、かつ前記集塵袋に外側から除塵振動を伝える除塵部材と、前記コードリールに駆動され、かつ前記除塵部材を振動させる除塵駆動伝達ユニットとを有し、前記除塵駆動伝達ユニットは、前記除塵部材に振動動作を起こさせる除塵回転体と、この除塵回転体を回動自在に支持する支持フレームと、前記除塵回転体の一方の端部側に設けられる回転軸心を同心とする伝達歯車とを有し、前記掃除機本体ケースは、底面側に前記除塵駆動伝達ユニットを外側から着脱自在に装着する装着開口部を有し、前記掃除機本体ケースは、前記装着開ロ部の内部側に前記除塵駆動伝達ユニットが収まる窪み部を有し、前記窪み部は、前記除塵回転体の外周側を前記集塵室側に突出させる除塵用開口と、前記伝達歯車を前記後部室側に突出させる伝達開口とを有し、前記除塵用開口を介して前記集塵室側と前記掃除機本体ケースの外側ないし前記伝達開口側に流通する通気を断つ気密シールを備え、前記支持フレームは、枠体部と、この枠体部の片側を塞ぐ底板部と、前記枠体部の短辺側に前記底板部の反対側に向かって立ち、かつ前記除塵回転体を支持する回転体支持板とを有し、前記回転体支持板の周端縁と、前記枠体部の長辺側端縁に前記気密シールを設けたことを特徴とする。
【発明の効果】
【０００８】
本発明によれば、ユニット化した除塵駆動伝達ユニットを掃除機本体ケースの装着開口部に取り付けるので、組み立てが容易である。
【発明を実施するための最良の形態】
【０００９】
本発明の実施例について、図を引用して説明する。
【００１０】
まず、図1〜図５に沿い、表示について説明する。
【００１１】
図１に示すように電気掃除機の掃除機本体ケース１は、後部側に走行用の車輪２を有する。掃除機本体ケース１の前側下部には、走行用のキャスター（図示せず）が備わる。
【００１２】
掃除機本体ケース１の前側内部には、集塵室３が設けられる。この集塵室３には、紙袋を含む集塵袋が取り外し自在に内置される。ホース差込口４は掃除機本体ケース１の前側に設けられ、集塵室３に連通する。
【００１３】
掃除機本体ケース１の後部は後部室を有し、電動送風機やコードリールが内置される。
【００１４】
集塵室３の上面には、集塵袋が出し入れされる開口部を有し、この開口部を開閉自在に覆う蓋体５が備わる。蓋体５は掃除機本体ケース１に回動自在に支持される。
【００１５】
蓋体５は、図１に示すように表示部６を有する。表示部６は、図２、図３、図４に示すように、蓋体５の内側に設けた導光管７が光ることにより表示される。
【００１６】
図５に示す表示制御箱８は、掃除機本体ケース１の後部室の上側に設けられる。表示制御箱８は、図４に示すように、発光ダイオード９、制御基板１０、電源部２０を有する。
【００１７】
表示制御箱８は、前面に二つの投光孔２１を有する。二つの発光ダイオード９が発する光は、その投光孔２１から導光管７に入って表示部６の表示が行なわれる。
【００１８】
この表示は、例えば、集塵袋の集塵量を示すインジケータとして利用される。集塵袋の集塵量を圧力センサ等で検知して発光ダイオード９を発光させる。
【００１９】
例えば、集塵量が中程度のときは、発光ダイオード９を一つだけ発光させ、満杯になったら二つとも発光させることにより、集塵量が報知される。
【００２０】
本発明の実施例では、白色を発する発光ダイオード９を用い、投光孔２１と導光管７の間にカラーフィルタ２２を設けた。このカラーフィルタ２２の色を選択することにより、表示に任意の色を選ぶことができる。
【００２１】
白色の発光ダイオードは、カラー発光ダイオードに比べて安価である。白色の発光ダイオードと、カラーフィルタを組み合わせることにより、安価なカラー表示を提供することができる。
【００２２】
なお、投光孔２１と導光管７の間には、蓋体５に仕切壁２３が存在する。仕切壁２３に光を通す光通過孔２４を形成し、この光通過孔２４のところにカラーフィルタ２２を設けた。カラーフィルタ２２は表示制御箱８に対面する側に位置しているが、導光管７に対面する側に配置することも可能である。
【００２３】
次に除塵関連に関して説明する。
【００２４】
図６、図２２に示すように、掃除機本体ケース１の集塵室３には、集塵袋２５が内置される。この集塵袋２５は、使い捨ての集塵袋ないし再利用可能な布集塵袋を含む。
【００２５】
掃除機本体ケース１は、集塵室３の後側に後部室を有する。この後部室は、電動送風機２６、コードリール２７を内置する。
【００２６】
電動送風機２６は、送風部（ファン）と電動機を有する。送風部が前側、電動機が後側になるように置かれる。コードリール２７は、電動送風機２６の隣りに並ぶように置かれる。電動送風機２６には、コードリール２７を介して電力が供給される。
【００２７】
集塵袋の除塵は、除塵手段で行なわれる。除塵手段は、除塵部材とコードリールに駆動され、かつ前記除塵部材に振動動作を起こさせる除塵回転体とを有する。
【００２８】
除塵部材２８は、集塵室３に備えられる。集塵室３に置かれる集塵袋２５は、除塵部材２８で、振動させられて内部に付着する塵埃が振るい落とされる。
【００２９】
除塵駆動伝達ユニット２９（図２３の（ａ））は、掃除機本体ケース１の内底部に備えられる。除塵駆動伝達ユニット２９は、除塵回転体３０と、伝達歯車４０を有する。この伝達歯車４０は、コードリール２７の駆動歯車４１に噛み合う。
【００３０】
コードリール２７の回転で、駆動歯車４１、伝達歯車４０を介して除塵駆動伝達ユニット２９の除塵回転体３０に回転が伝わる。除塵回転体３０の回転により、除塵部材２８は振動させられ、集塵袋２５内の除塵が行なわれる。
【００３１】
除塵部材について、図７〜図１９を引用して更に詳しく述べる。
【００３２】
除塵部材２８は、縦置除塵体４２と、横置除塵体４３とを有する。縦置除塵体４２の下端と、横置除塵体４３の後端は支軸４４により回動自在に結合されている。縦置除塵体４２と横置除塵体４３は、折り畳まれた０度（図１２に示す状態に近い）から開かれた９０度（図１１に示す状態）の範囲で回動する。
【００３３】
縦置除塵体４２は、下端にストッパー５１を有する。除塵部材２８が９０度まで開いたところで、横置除塵体４３はストッパー５１で抑えられ、それ以上は開かない。
【００３４】
なお、最大開き角度は、横置除塵体４３が集塵室３の内底部に接触しなければ、９０度以下でも９０度以上でもよい。
【００３５】
縦置除塵体４２は、上側両端に支持軸突起４５が設けられる除塵枠体部４６を有する。掃除機本体ケース１は、図１８に示すように、集塵室３と後部室を仕切る中間仕切壁４７を有する。この中間仕切壁４７は、集塵室３側に縦に走る二つの支持リブ４８が間隔を隔てて設けられる。支持リブ４８は、図１９に示すように、上側に支持孔４９を有する。
【００３６】
この支持孔４９に縦置除塵体４２の支持軸突起４５は回動自在に嵌まる。これにより、除塵部材２８は、集塵室３に揺振自在に置かれる。
【００３７】
支持リブ４８は、図１９に示すように、対向面（内側面）に支持孔４９の上側から支持リブ４８に向けて形成された傾斜溝５０を有する。この傾斜溝５０は、上側に向かって外向きに傾く。支持軸突起４５も端側が傾斜面を有する。このため、支持軸突起４５を傾斜溝５０に沿って上から下に滑らせることにより、支持軸突起４５は支持孔４９に容易に嵌る。除塵部材２８の取り付けが容易に行なわれる。
【００３８】
除塵回転体３０は、図２２、図２３、図２４に示すように、外周に巻装される除塵バネ６０を有する。除塵バネ６０は、除塵回転体３０の長手方向に沿って螺旋状に巻かれ、多角形ないし外周に突き出る複数の突起を有する。除塵部材２８の縦置除塵体４２に備える付勢バネ６２は、縦置除塵体４２を後側に引く。
【００３９】
集塵袋２５は、図２４、図６に示すように、後側が除塵部材２８の縦置除塵体４２に、下側が横置除塵体４３に当接する。除塵回転体３０が図２４の（ａ）、（ｂ）、（ｃ）に示すように回転することにより、除塵部材２８は、付勢バネ６２に抗して左右に振動する。
【００４０】
集塵袋２５の後側は、縦置除塵体４２により前後に揺すられ、下側は横置除塵体４３で前後に擦られるとともに上下に多少振られる。この振動により、集塵袋２５内に付着する塵埃が除塵され、集塵袋２５の通気性が回復し、更なる吸塵ができる。これを繰り返すことにより、集塵袋２５内が一杯になるまで吸塵できる。
【００４１】
集塵室内の掃除について説明する。
【００４２】
塵埃は、集塵袋２５内に集塵される。しかし、集塵袋２５を取り外す際、集塵袋２５内に溜まった塵埃が誤って集塵室３の下部にこぼれる場合がある。この時、蓋体５を開いて、集塵室３から集塵袋２５を外し、内底部に溜まった細塵の掃除をする。
【００４３】
この際に、除塵部材２８の横置除塵体４３を図１２に示すように折り畳むことにより、内底部側から横置除塵体４３が一時的に除かれた状態になる。このため、内底部の掃除が容易に、しかも細塵を残らず、掃除できる。
【００４４】
横置除塵体４３は、図７〜図１０に示すように、前後方向に延在する複数のスリット６３が並ぶように設けられている。集塵袋２５を抜けた気流は、スリット６３を通って電動送風機２６へと流れる。横置除塵体４３のスリット６３は、気流の流れを良くするのである。
【００４５】
スリット６３には、集塵室３の内底部に一体に設けられた案内リブ６４が摺動自在に嵌る。この案内リブ６４は、除塵動作の前後方向振動ではガイドとして機能する。前後方向振動と交差する方向の動きは案内リブ６４により規制される。
【００４６】
このため、電気掃除機本体の置かれる姿勢が横倒しになっていても案内リブ６４の案内により、除塵部材２８の除塵動作は作動不良を起こすことなく、円滑に行なわれる。
【００４７】
また、除塵部材２８は横置除塵体４３をストッパー５１で支えているので、除塵動作で横置除塵体４３と集塵室３の内底部は擦れ合うことなく、円滑な除塵動作が行なわれる。
【００４８】
図１１、図１２、図１５、図２１に示すように、除塵駆動伝達ユニット２９の除塵回転体３０は、縦置除塵体４２の下端に当接する。この当接部は、縦置除塵体４２の下端後部で支軸４４の近傍に位置し、円弧形状を有する。この円弧面は、縦置除塵体４２の幅範囲に亘り形成されている。
【００４９】
この円弧面の当接部に除塵回転体３０の除塵バネ６０が当接する。除塵バネ６０の多角形ないし外周に突き出る複数の突起が当接しても、円弧面により除塵回転体３０の円滑な回転が維持される。これにより、除塵部材２８の振動作動が良好に行なわれ、集塵袋２５の除塵が良く行なわれる。
【００５０】
図７、図９、図１０に示すように、除塵部材２８の横置除塵体４３は、前後に通じる方向から見て中央が隆起する形状を有する。このような形状に有するので、平板状のものに比べ、構造上の強度が高まる。
【００５１】
横置除塵体４３は、縦置除塵体４２の下端後部に支軸４４で片持ち支持され、かつスリット６３が形成された薄手のものである。中央が隆起する強い構造であるので、折れ曲がることなく、集塵袋２５を下から支えることができる。このため、横置除塵体４３が集塵室３の内底部に接触することも生じることもなく、除塵の振動動作が良好に行なわれる。
【００５２】
図１８に示すように、集塵室３と後部室を仕切る中間仕切壁４７は、内部流通口６５を有する。内部流通口６５は、電動送風機２６の送風部（ファン）の吸込口に対向するように中央から片側に偏在させて設ける。
【００５３】
集塵室３に流入する気流は、内部流通口６５を通って電動送風機２６に流れる。内部流通口６５には、複数の縦格子リブ６６が設けられる。この縦格子リブ６６は、大き目の異物が電動送風機２６に強い込まれるのを阻止する。
【００５４】
図７、図８に示すように、集塵室３に内置されると除塵部材２８は、縦置除塵体４２が内部流通口６５のところに対向するように置かれる。縦置除塵体４２の巾は、集塵室３の横巾（中間仕切壁４７の横幅）より狭い。このため、コードリール２７側に対応する中間仕切壁４７のところには、縦置除塵体４２は存在しない。
【００５５】
横置除塵体４３は、縦置除塵体４２の横巾より広い横巾を有し、集塵室３の内底部の横幅範囲に広がる。
【００５６】
集塵袋２５内に吸い込まれた塵埃は、集塵袋２５の後部側で内部流通口６５に近いところの内側に多く付着する。この多く付着するところを積極的に除塵振動させるために縦置除塵体４２の横巾を集塵室３の横巾よりも狭くした。
【００５７】
集塵袋２５の底側は、塵埃付着の偏りは少ないので、除塵振動が出来るだけ広い範囲に及ぶように横置除塵体４３の横巾を縦置除塵体４２よりも広くした。
【００５８】
なお、縦置除塵体４２と横置除塵体４３の横幅を同じにすることも可能である。
【００５９】
図１７、図１０、図１５を引用して付勢バネの取り付けについて説明する。
【００６０】
縦置除塵体４２の除塵枠体部４６は、一方の側面上部にバネ収容部６７を有する。
【００６１】
バネ収容部６７は、除塵枠体部４６の外側面と、前側壁６８と、外側壁６９で形成される。バネ収容部６７の上側と後側は壁部がなく、開放になっている。前述した一方の支持軸突起４５は、外側壁６９の外側に設けられているのである。
【００６２】
バネ収容部６７内には、除塵枠体部４６の外側面に付勢バネ６２の中心を支持するバネ支持軸突起７０と、付勢バネ６２の一端７１を係止する係止突起７２と、付勢バネ６２の他端７３を係止する仮止部７４を有する。
【００６３】
付勢バネ６２は、図１７に示すように、バネ収容部６７内に収納され、かつ他端７３の押圧部７５が中間仕切壁４７に押圧する。これにより、縦置除塵体４２は付勢バネ６２の力で、支持軸突起４５を支点としてＰ矢印方向の回転力が付与される。
【００６４】
前述したように、付勢バネ６２は、除塵回転体３０の回転で縦置除塵体４２を押す力に抗するように作用する。除塵回転体３０の回転による押力と付勢バネ６２の抗する力により、除塵部材２８は除塵振動動作をする。
【００６５】
付勢バネ６２は、バネ収容部６７内に挿入し、付勢バネ６２の中心をバネ支持軸突起７０に嵌め、一端７１を係止突起７２に、他端７３を仮止部７４に係止することで、簡単に組み込まれる。また、除塵枠体部４６は支持軸突起４５を支持リブ４８の支持孔４９に嵌め込むことにより、押圧部７５が中間仕切壁４７に押圧して付勢バネ６２として機能するようになるので、除塵枠体部４６の取り付けも容易である。
【００６６】
バネ支持軸突起７０は、支持軸突起４５（除塵枠体部４６を回動自在に支持する支持点）の近傍に位置しているが、同心上にすることも可能である。
【００６７】
図１０、図１５等に示されるように、バネ収容部６７の下側には、除塵枠体部４６の側面に亘り、補強部７６が設けられる。この補強部７６により、除塵枠体部４６とバネ収容部６７との一体構造が補強される。補強部７６が梯子状に多数の孔を有するのは、通気性をより高めるためである。
【００６８】
図１６、図２０に示すように、保護フィルタ部７７は、フィルタ支持枠７８と、支骨７９を縦横に設けた格子と、保持つめ８０と、保護通気フィルタ９０を有する。
【００６９】
フィルタ支持枠７８と別体の保護通気フィルタ９０は、支骨７９と、保持つめ８０とによりフィルタ支持枠７８に保持される。
【００７０】
保護通気フィルタ９０は、通気目が集塵袋２５より粗く、フィルタ支持枠７８の格子目よりも細やかで、可撓性を有する。フィルタ支持枠７８の格子に添え当てた保護通気フィルタ９０は、周縁を保持つめ８０のところに差し込む。こうして、保護通気フィルタ９０は、フィルタ支持枠７８に保持される。
【００７１】
図９は、除塵部材２８の除塵枠体部４６に保護フィルタ部７７が取り付けられたところを示す。図１０は、保護フィルタ部７７が除塵枠体部４６から外されたところを示す。
【００７２】
除塵枠体部４６は、図２０に示すように、上下に走る差込溝９１を有する。この差込溝９１に保護フィルタ部７７のフィルタ支持枠７８が摺動自在に嵌め込まれる。図１４は、保護フィルタ部７７を除塵枠体部４６に嵌め込み始めたところを示す。図１３は、保護フィルタ部７７を除塵枠体部４６に嵌め込み終えたところを示している。
【００７３】
保護フィルタ部７７が取り付け、取り外しができるので、除塵部材２８のメンテナンスに際しては、保護フィルタ部７７を外しておいて除塵枠体部４６だけで脱着をする。保護フィルタ部７７が着いていない合成樹脂性の除塵枠体部４６は撓みやすく、除塵枠体部４６の着脱が容易である。
【００７４】
この保護フィルタ部７７は、内部流通口６５上流側に位置する。集塵袋２５が破れても、保護フィルタ部７７により、塵埃が内部流通口６５を通って電動送風機２６に吸い込まれるのを防止できる。
【００７５】
保護フィルタ部７７は、空気流の下流側面の周縁が保持つめ８０で保持され、それに加え、下流側面側が前述した縦格子リブ６６で抑えられるので、保護フィルタ部７７が除塵枠体部４６から脱落する不具合は生じない。
【００７６】
保護フィルタ部７７は、図１６に示すように、フィルタ支持枠７８の上部の側端に突き出す取っ手９２を有する。保護フィルタ部７７の取り付け、取り外しでは、取っ手９２を掴んで行なう。
【００７７】
取っ手９２は、保護フィルタ部７７に除塵枠体部４６を取り付けると、図８、図９、図１３、図１５に示すように、バネ収容部６７の上側を塞ぐ蓋として機能する。取っ手９２で、バネ収容部６７に大きめ目の異物が入るのを防ぐことができる。
【００７８】
集塵室３の内底部は、図６、図７に示すように、隆起している。掃除機本体ケース１の前側下面にキャスター９３を取り付ける窪みを設けるために隆起させた。この隆起に合うように横置除塵体４３の中央を隆起させた。
【００７９】
これにより、横置除塵体４３と横置除塵体４３との間にできる無駄な空間は少なく、集塵室３内で集塵袋２５がより大きく膨らみ、集塵量の増加を図ることができる。
【００８０】
次に除塵駆動伝達ユニットの関連について説明する。
【００８１】
除塵駆動伝達ユニット２９は、図２３、図２８、図２９、図３３に示すように、支持フレーム９４を有する。
【００８２】
支持フレーム９４は、矩形の枠体部９５と、枠体部９５の片側を塞ぐ底板部９６と、枠体部９５の短辺側に底板部９６の反対側に向かって立つ二つの回転体支持板９７を有する。
【００８３】
二つの回転体支持板９７の周端縁と、枠体部９５の長辺側端縁には、気密シール９８が設けられる。この気密シール９８は、図３４に示すように、連なった環に形成されている。連なった環の気密シール９８は、つなぎ合わせの隙間がないので、シール性が高まる。
【００８４】
気密シール９８は、枠体部９５と一体に合成樹脂で成型される。気密シール９８は、シール機能を有するように枠体部９５よりも軟質な合成樹脂で成型される。成型用の金型で成型された枠体部９５を別の金型に移し、軟質の合成樹脂を注入することにより、枠体部９５と気密シール９８は一体に成型される。
【００８５】
気密シール９８は、枠体部９５と分離して、ばらばらになることが生じないので、組立の際の取り扱い性が向上する。また、気密シール９８は軟質の合成樹脂で形成されるので、シール性が向上する。
【００８６】
除塵駆動伝達ユニット２９の除塵回転体３０は、二つの回転体支持板９７に回転自在に支持される。除塵回転体３０は、図２９に示すように、両端側に支軸９９Ａ、９９Ｂを有する。
【００８７】
伝達歯車４０は、除塵回転体３０の一方の端部側に設けられる。伝達歯車４０の軸部１１０を除塵回転体３０の一方の端部側にネジ等で締結して固定する。伝達歯車４０は除塵回転体３０の端部から離間したところに位置する。
【００８８】
除塵回転体３０内には、一方向の回転が伝達され、他方向の回転が伝達されない、いわゆる一方向回転伝達クラッチ１０５が備わる。コードリール２７の駆動歯車４１、および伝達歯車４０を介してコードリール２７の回転は、除塵回転体３０に伝達される。
【００８９】
コードを引き出すときには除塵回転体３０は回されるが、コードを巻き取るときには除塵回転体３０は回されない。こうすることにより、コードリール２７の巻き取りバネを小型化でき、しかもコードの引き出しが軽くなる。
【００９０】
支持フレーム９４の二つの回転体支持板９７は、除塵回転体３０の支軸９９Ａ，９９Ｂを回転自在に支持する軸受１１１Ａ、１１１Ｂを有する。伝達歯車４０が設けられる支軸９９Ｂを回転自在に支持する方の軸受１１１Ｂは、貫通するように形成される。
【００９１】
伝達歯車４０が設けられない方の支軸９９Ａを支持する軸受１１１Ａは、奥側が塞がるように形成される。軸受１１１Ａは、奥側が塞がっているので、軸受１１１Ａから回転体支持板９７の外側に空気は漏れない。
【００９２】
しかし、軸受１１１Ｂは貫通しているので、回転体支持板９７の外側に空気は漏れる。そこで、回転体支持板９７の外面側に、軸受１１１Ｂと支軸９９Ｂの隙間を封じる軸シール１１２を設けた。この軸シール１１２により、軸受１１１Ｂを通じて回転体支持板９７の外側に漏れる空気漏洩は阻止される。
【００９３】
図２１、図２３に示すように、掃除機本体ケース１は底面に除塵駆動伝達ユニット２９が装着される装着開口部１１３を有する。この装着開口部１１３には、除塵駆動伝達ユニット２９が外側から着脱自在に装着される。
【００９４】
このように、支持フレーム９４に除塵回転体３０、伝達歯車４０をまとめてユニット化し、ユニットになった除塵駆動伝達ユニット２９を掃除機本体ケース１の装着開口部１１３に取り付けるので、組み立てが容易に行なわれる。
【００９５】
装着開口部１１３は、除塵回転体３０や支持フレーム９４が置かれるところには窪み部１１４が形成され、伝達歯車４０が置かれるところには後部室（コードリール２７、電動送風機２６が置かれる）側に臨む開口が形成されている。
【００９６】
窪み部１１４は、図２３、図２７、図３２に示すように、奥側に除塵用開口１１５を有する。この除塵用開口１１５は、集塵室３内に置かれる縦置除塵体４２の下端側に臨んでいる。
【００９７】
また、窪み部１１４は、伝達歯車４０が位置する方の側面側に伝達開口１１６を有する。この伝達開口１１６を介して窪み部１１４は、後部室側と連通している。
【００９８】
装着開口部１１３に装着された除塵駆動伝達ユニット２９の除塵回転体３０は、外周側の除塵バネ６０が除塵用開口１１５から集塵室３に突き出し、縦置除塵体４２の下端側（円弧面の当接部）に当接する。
【００９９】
伝達歯車４０は、コードリール２７の駆動歯車４１に噛み合わされる。伝達歯車４０の軸部１１０は、伝達開口１１６に置かれる。
【０１００】
窪み部１１４は、図２３、図２５〜図２７、図３３、図３４に示すように、窪み部１１４の底に近い低位置段部１１７と、底から離れた高位置段部１１８とを有する。また、窪み部１１４は、長手方向の端側に接合突起１１９，１２０を有する。
【０１０１】
窪み部１１４の低位置段部１１７には、気密シール９８の辺９８Ｂが当接する。窪み部１１４の高位置段部１１８には、気密シール９８の辺９８Ａが当接する。接合突起１１９には、気密シール９８の辺９８Ｃが当接する。接合突起１２０には、気密シール９８の辺９８Ｄが当接する。
【０１０２】
これらの当接による気密シール９８のシールにより、除塵用開口１１５を通じ、集塵室３と掃除機本体ケース１の外側間で空気が流通するのは断たれる。このため、装着開口部１１３を通じて集塵室３と掃除機本体ケース１の外側間で空気が流れる空気漏れは生じない。
【０１０３】
また、気密シール９８は、窪み部１１４が伝達開口１１６を介して後部室（コードリール２７、電動送風機２６が置かれる）に連通するところのシールを併せてしている。このため、集塵室３と後部室の間も空気の流通は断たれ、空気漏れは生じない。
【０１０４】
図３１、図３２は、電気掃除機本体の装着開口部１１３に装着されている除塵駆動伝達ユニットを横方向に断面したところを示している。
【０１０５】
図３２は、除塵駆動伝達ユニット２９から除塵回転体３０を外したところを示している。窪み部１１４の底に除塵用開口１１５が見える。また、接合突起１１９、１２０は、図示されていないが、二つの回転体支持板９７のところに位置する。
【０１０６】
窪み部１１４に内側面に突出するように設けられた接合突起１１９、１２０は、幅が気密シール９８の幅よりも狭い。接合突起１１９、１２０に押圧された気密シール９８を押し付けることにより、接合突起１１９、１２０が気密シール９８に食い込み気密が向上する。
【０１０７】
除塵駆動伝達ユニット２９は、掃除機本体ケース１に設けたねじボス１３０、１３１にねじ込むネジ１３２により締め付け固定される。除塵駆動伝達ユニット２９に設けたネジ通穴１３３、１３４は、二つの回転体支持板９７の外側に設けた。
【０１０８】
二つの回転体支持板９７の内側にネジ通穴を設けると、ネジ通穴にも気密を施さなければならない。ネジ通穴を二つの回転体支持板９７の外側に設けることにより、気密を施す必要がなく、構成が簡単になる。
【０１０９】
次に吸塵時の通気確保について述べる。
【０１１０】
図６、図２２、図３５〜図３７に沿って説明する。
【０１１１】
集塵袋２５は、集塵室３に内置される。集塵袋２５は、厚紙等の硬質材料からなる口板１３５と、この口板１３５に接着された通気性の袋部１３６とを有する。袋部１３６は紙等で作られる。
【０１１２】
口板クランプ１３７は、集塵室３のホース差込口４側に設けられる。集塵室３に装着され、口板１３５が口板クランプ１３７に保持された集塵袋２５は、口板１３５の塵埃吸気口１３８がホース差込口４に向き合うように置かれる。
【０１１３】
蓋体５は、集塵室３の一部を構成する。この蓋体５の内側に通風部材１４０が設けられる。
【０１１４】
通風部材１４０は、中央にフィルタ収納部１４１と、フィルタ収納部１４１の外側に設けた流路空間１４２と、フィルタ収納部１４１と流路空間１４２を仕切る仕切壁１４３と、フィルタ収納部１４１の流入口１４４に設けた格子１４５と、通風部材１４０の両端に仕切壁１４３と対向するように設けた外側壁１４６を有する。
【０１１５】
流路空間１４２は、仕切壁１４３と外側壁１４６の間に形成される。通風部材１４０の入口１４７に向いている仕切壁１４３の前側は円弧形状を有する。
【０１１６】
フィルタ収納部１４１には、濾過フィルタ１４８が収納される。フィルタ収納部１４１は、流路空間１４２の出口１４９と横並びの流出口１５０を有する。流出口１４９には、濾過フィルタ１４８を抑える支持部材１６０を設ける。
【０１１７】
通風部材１４０は、流入口１４４が集塵室３の内側を向くように蓋体５に取り付ける。また、通風部材１４０の入口１４７が集塵室３の前側に、流路空間１４２の出口１４９が集塵室３の後側に向くように通風部材１４０は配置される。
【０１１８】
吸塵される塵埃は、ホース差込口４に挿入接続された吸い込みホース１３９（図２２）を流れて塵埃吸気口１３８から袋部１３６に入る。集塵室３内で膨れた袋部１３６の外周は、集塵室３の内面や通風部材１４０に張り付くが、通風部材１４０により通気が確保される。
【０１１９】
すなわち、袋部１３６の外周が集塵室３に密着しているところでは、空気の流通が行なわれない。通気部材１４０に受け止められているところは、袋部１３６の外に抜けた空気は流入口１４４、濾過フィルタ１４８、流出口１５０へと流れる。また、入口１４７、流路空間１４２、出口１４９へと流れる空気の流れもある。このような空気の流通が通風部材１４０により確保されるのである。
【０１２０】
流出口１５０、出口１４９から吐出した空気は、図３５の矢印に示すように、下方に向かって流れ、内部流通口６５を経て電動送風機２６に吸い込まれる。
【０１２１】
斯かる流出口１５０、出口１４９から内部流通口６５に至る空気流路は狭い。狭い空気流路での流通が阻害されないように、除塵駆動伝達ユニット２９の除塵回転体３０を掃除機本体ケース１の内底側に配置したのである。
【０１２２】
このように除塵回転体３０を掃除機本体ケース１の内底側に配置することにより、流出口１５０、出口１４９から内部流通口６５に至る狭い空気流路でも空気の流通が妨げられないので、通風部材１４０の通風機能を十分に機能させることができる。
【０１２３】
また、除塵回転体３０は、集塵室３の後側と電動送風機２６の前側との間に設けられている内部流通口６５の下部より下方に配置したので、内部流通口６５を流れる空気の妨げがなく、電動送風機２６の吸引が良く行なわれる。
【０１２４】
また、濾過フィルタ１４８は、ここを流れる空気に含まれる細塵を捕集する。このため、電気掃除機から排出される排気は浄化される。更に濾過フィルタ１４８は消臭効果もあり、排出される排気は集塵袋２５内の塵埃に付着していると思われる臭いを除去する効果もある。
【０１２５】
なお、通風部材を下側に設けたときには、除塵回転体を上側に配置する。通風部材と除塵回転体は、反対側の位置に配置することにより、通風部材の通風機能が生かされるのである。
【図面の簡単な説明】
【０１２６】
【図１】本発明の実施例に係わるもので、電気掃除機本体の外観斜視図。
【図２】本発明の実施例に係わるもので、蓋体が開かれた状態を示す電気掃除機本体の外観斜視図。
【図３】本発明の実施例に係わるもので、蓋体を内側から見たところを示す図。
【図４】本発明の実施例に係わるもので、電気掃除機本体の部分断面で表示部に関係するところを示す図。
【図５】本発明の実施例に係わるもので、表示制御箱を示す図。
【図６】本発明の実施例に係わるもので、電気掃除機本体の断面図。
【図７】本発明の実施例に係わるもので、集塵室破断して内部を示した斜視図。
【図８】本発明の実施例に係わるもので、集塵室を上から見た拡大図。
【図９】本発明の実施例に係わるもので、除塵部材の斜視図。
【図１０】本発明の実施例に係わるもので、保護フィルタ部を外した除塵部材を示す図。
【図１１】本発明の実施例に係わるもので、開かれた除塵部材を側面から見たところを示す図。
【図１２】本発明の実施例に係わるもので、折り畳まれた除塵部材を側面から見たところを示す図。
【図１３】本発明の実施例に係わるもので、除塵部材の縦置除塵体を拡大した図。
【図１４】本発明の実施例に係わるもので、縦置除塵体に保護フィルタ部を脱着するところを示す図。
【図１５】本発明の実施例に係わるもので、除塵部材を背面から見た図。
【図１６】本発明の実施例に係わるもので、保護フィルタ部の斜視図。
【図１７】本発明の実施例に係わるもので、付勢バネが除塵部材に取り付けられたところを示す図。
【図１８】本発明の実施例に係わるもので、除塵部材が外された集塵室を示す斜視図。
【図１９】本発明の実施例に係わるもので、除塵部材を回動自在に支持する支持部を示す図。
【図２０】本発明の実施例に係わるもので、縦置除塵体と保護フィルタ部を横方向に断面した一部拡大図。
【図２１】本発明の実施例に係わるもので、除塵駆動伝達ユニットと、除塵駆動伝達ユニットが外された電気掃除機本体の底面を示す斜視図。
【図２２】本発明の実施例に係わるもので、電気掃除機本体の横方向に断面して主に要部を示した図。
【図２３】本発明の実施例に係わるもので、図２１に相当するところを分かり易く表した図。
【図２４】本発明の実施例に係わるもので、集塵袋の除塵動作を示す図。
【図２５】本発明の実施例に係わるもので、除塵駆動伝達ユニットが電気掃除機本体に装着されているところを断面した図。
【図２６】本発明の実施例に係わるもので、除塵駆動伝達ユニットが外された電気掃除機本体の装着開口部を斜め上から見た斜視図。
【図２７】本発明の実施例に係わるもので、除塵駆動伝達ユニットが外された電気掃除機本体の装着開口部を正面から見た図。
【図２８】本発明の実施例に係わるもので、除塵駆動伝達ユニットを正面から見た図。
【図２９】本発明の実施例に係わるもので、除塵駆動伝達ユニットの断面図。
【図３０】本発明の実施例に係わるもので、除塵駆動伝達ユニットの伝達歯車側を示す拡大図。
【図３１】本発明の実施例に係わるもので、電気掃除機本体の装着されている除塵駆動伝達ユニットを横方向に断面した図。
【図３２】本発明の実施例に係わるもので、図３１から除塵回転体を除いたところを示す図。
【図３３】本発明の実施例に係わるもので、除塵回転体を除いた除塵駆動伝達ユニットを示す図。
【図３４】本発明の実施例に係わるもので、気密シールを示す図。
【図３５】本発明の実施例に係わるもので、蓋体、集塵体用保持部材、集塵室の一部拡大図。
【図３６】本発明の実施例に係わるもので、蓋体、集塵体用保持部材を内側から見た斜視図。
【図３７】本発明の実施例に係わるもので、集塵体用保持部材を内側から見た斜視図。
【符号の説明】
【０１２７】
２６…電動送風機、２７…コードリール、１…掃除機本体ケース、３…集塵室、２５…集塵袋、２８…除塵部材、２９…除塵駆動伝達ユニット、３０…除塵回転体、９４…支持フレーム、１１３…装着開口部。
【図１】
0004673166.tif 000002
【図２】
0004673166.tif 000003
【図３】
0004673166.tif 000004
【図４】
0004673166.tif 000005
【図５】
0004673166.tif 000006
【図６】
0004673166.tif 000007
【図７】
0004673166.tif 000008
【図８】
0004673166.tif 000009
【図９】
0004673166.tif 000010
【図１０】
0004673166.tif 000011
【図１１】
0004673166.tif 000012
【図１２】
0004673166.tif 000013
【図１３】
0004673166.tif 000014
【図１４】
0004673166.tif 000015
【図１５】
0004673166.tif 000016
【図１６】
0004673166.tif 000017
【図１７】
0004673166.tif 000018
【図１８】
0004673166.tif 000019
【図１９】
0004673166.tif 000020
【図２０】
0004673166.tif 000021
【図２１】
0004673166.tif 000022
【図２２】
0004673166.tif 000023
【図２３】
0004673166.tif 000024
【図２４】
0004673166.tif 000025
【図２５】
0004673166.tif 000026
【図２６】
0004673166.tif 000027
【図２７】
0004673166.tif 000028
【図２８】
0004673166.tif 000029
【図２９】
0004673166.tif 000030
【図３０】
0004673166.tif 000031
【図３１】
0004673166.tif 000032
【図３２】
0004673166.tif 000033
【図３３】
0004673166.tif 000034
【図３４】
0004673166.tif 000035
【図３５】
0004673166.tif 000036
【図３６】
0004673166.tif 000037
【図３７】
0004673166.tif 000038